Podtech/llm-jp-corpus-v4-ja_patent huggingface dataset:
(57)【要約】      （修正有）【課題】道路を衛生的に保つ助けとなる犬の糞取り具を提供する。【解決手段】犬糞を収容する袋体を吊り下げるに必要最低限の強度を持つ金属または樹脂製の、細棒状材または小幅薄板状材により構成した、略コの字状または略Ｙ字状の袋体挿入部11と柄部１２と弾性部１３を一体にした犬糞受け具。【選択図】図１
2014161280.tif 000002
【特許請求の範囲】
【請求項１】
犬糞を収容する袋体を吊り下げるに必要最低限の強度を持つ細棒状材または小幅薄板状材を用いて、リング状のコイル構造の弾性部１３を屈曲形成し、柄部１２を経て、略コの字状または略Ｙ字状の袋体挿入部11を一体形成した犬糞受け具。
【請求項２】
細棒状材または小幅薄板状材が、金属または樹脂製である請求項１記載の犬糞受け具。
【発明の詳細な説明】
【技術分野】
【０００１】
本発明は、犬の散歩時に発生する犬の脱糞処理に関するものである。
【背景技術】
【０００２】
従来、犬の散歩時の脱糞処理は、糞が地面に落ちた後、新聞紙を介して、あるいはビニール袋に片手を入れ糞を掴んで行っていたが、手順は面倒であった。
【０００３】
上記問題を解決する方法として、例えば特許文献１では、台所用ゴミ袋を枠に嵌めてしようする発明が紹介されている。
しかし特許文献１の構造では、部品点数が多くなり、且つ、作業が煩雑で工数が大となる課題があった。
【先行技術文献】
【特許文献】
【０００４】
【特許文献１】特開２００２−１０８号公報
【発明の概要】
【発明が解決しようとする課題】
【０００５】
本発明は、犬の散歩時の脱糞処理において、糞を簡単に収納する犬糞受け具を提供することを目的とする。
【課題を解決するための手段】
【０００６】
上記目的を達成するため、犬糞を収容する袋体を吊り下げるに必要最低限の強度を持つ金属または樹脂製の、細棒状材または小幅薄板状材により構成した、略コの字状または略Ｙ字状の袋体挿入部11と柄部１２とリング状のコイル構造の弾性部１３を一体にした犬糞受け具を提供する。
【発明の効果】
【０００７】
図２に示す袋体２の開口部の２１に、図１で示す犬糞受け具１の挿入部１１を挿入するだけで簡単にセットでき、犬が脱糞行為を始めるのを見て、柄部１２を持ち袋体２をお尻の下に置くことで糞を袋体２に収納でき、また収納した袋体２も挿入部１１から簡単に取り外しが行え、従来のように糞が地面に落ちた後、新聞紙を介して、あるいはビニール袋に片手を入れ糞を掴むと言う手間が無くなり能率的で清潔な脱糞処理が量れる。
【図面の簡単な説明】
【０００８】
【図１】犬糞受け具
【図２】袋体
【図３】脱糞処理の図
【発明を実施するための形態】
【０００９】
図１〜２を用いて本発明の基本的な構成を説明する。図１は、本発明による犬糞受け具であり、図２は、袋体便を収納する袋体である。
【００１０】
まず、図２に示す袋体２の開口部の２１に、図１で示す犬糞受け具１の挿入部１１を挿入する。リング状のコイル構造の弾性部１３により挿入部１１の左右の距離と袋体２１の左右の距離を容易に合わせることが出来、簡単にセットできる。
【００１１】
次に、犬が脱糞行為を始めるのを見て、柄部１２を持ち袋体２をお尻の下に置くことで糞を袋体２に収納する。
【００１２】
脱糞が終了したら、袋体を挿入部１１より外してゴミとして廃棄する。
【００１３】
袋体は、樹脂製の袋の口に開口部２１を作って使用しても良いし、家庭の流しのゴミ受けの網状ネット袋に開口部２１を作って使用しても良い。また網状ネット袋の網目に挿入部をジグザグに縫うように差し込んで使用してもよい。
【符号の説明】
【００１４】
１    犬糞受け具
１１  挿入部
１２  柄部
１３  弾性部
２    袋体
２１  開口部
【図１】
2014161280.tif 000003
【図２】
2014161280.tif 000004
【図３】
2014161280.tif 000005
(57)【要約】      （修正有）【課題】電気抵抗箔を用いたひずみゲージを製作する場合において、露光現像を繰り返すことによって設計のパタンの精度が低下してしまう欠点や、スクリーンやマスクの管理や製造時の工数が削減できない不具合を解消することができる抵抗箔ひずみゲージ製法を提供する。【解決手段】スクリーンやマスクを作ることなく、レーザ発生装置５からのレーザー照射によって、絶縁フィルム上に接着された抵抗箔３に塗布されたフォトレジストに露光し、エッチングすることでひずみゲージを製作する。【選択図】図２
2014219357.tif 000002
【特許請求の範囲】
【請求項１】
電気抵抗箔を使用しているひずみゲージの製造に於いて、スクリーンやマスクを用いず、絶縁ベース上に接着された抵抗箔上に塗布されたフォトレジスト面に、直接光を照射し、ゲージパタンを露光することを特徴とする。
【発明の詳細な説明】
【技術分野】
【０００１】
本発明は、ひずみ検出用 抵抗箔ひずみゲージを作る手段に関するものである。        
【背景技術】
【０００２】
抵抗箔ひずみゲージ（以下ゲージ）を作る場合、絶縁ベース上に金属抵抗箔を貼り、その金属抵抗箔をエッチングするなどの方法で、グリッド部、電極端子部を成形し、ひずみゲージを製作していた。
【０００３】
金属箔をエッチングする際は、ゲージを構成するグリッドや、端子部など導通部分の金属箔を絶縁ベース上に残す必用があり、フォトレジストで金属箔を覆い、ゲージのパタンの像があるスクリーンを通し、フォトレジストを感光し、エッチングを行なっていた。
【０００４】
製作例では、設計に従ったパタンを拡大したスクリーンに描き、このスクリーンのパタンをマスク上に投射等の手段で、原寸サイズで作り、ゲージ焼き付けのフォトマスクとしていた。また、ゲージが小さい場合には、マスクに複数のパタンを作り、一度の露光で、複数のゲージのパタンを焼きつけていた。
【０００５】
この方法でゲージを作る場合には、ゲージのパタンをスクリーンに描き、さらに、写真技術を用い、多面焼き等を行い、マスク化する必要があった。また、このマスクを用い密着焼きを行い、ゲージ箔上のフォトレジストを感光させていた。
【０００６】
このように写真技術等の光学的手法を行なうため、像のひずみ、ボケ、現像時の薬品の不確定要素により、目的としたゲージパタンとの誤差が出てくる。さらに光学的手法を何度かくりかえす回数が増し、その誤差は、級数的に増加する不具合があった。また、感光に関する費用、時間、管理等の省力化が困難であった。
【先行技術文献】
【特許文献】
【０００７】
ホームページ
http://www.aandd.co.jp/adhome/products/loadcell/introduction/cell_intro04_01.html
【発明の概要】
【課題を解決するための手段】
【０００８】
上記問題を解決するために、スクリーンを製作せず、直接ゲージ箔上に塗布されたフォトレジストにゲージパタンを形成し、現像し、エッチングを行なうことで、箔にゲージパタン生成することを可能にしたものである。レーザーをガルバノミラや、ポリゴンミラ等を使用して、ガルバノミラの角度や、ポリゴンミラの角度に連動させて、レーザーの点滅パタンを制御することによって、任意のパタンをフォトレジスト上に描画し、または、デジタル信号によって、十数ミクロンの間隔で配列された鏡の角度をデジタル信号で任意に制御し、光線をこれらの鏡で反射させることによって、任意の所望の像をフォトレジスト上に投影することによってゲージパタンを形成する。
【発明を実施するための最良の形態】
【０００９】
実施例を説明する。絶縁フィルム上に接着してあるゲージ用の抵抗箔にフォトレジストをスピンコート等の手段によって薄く均一に塗布し、当該レジストを感光させることに適した波長、強度のレーザーをコンピュータ制御で、ゲージパタンを照射し、フォトレジスト感光し、エッチングすることで、ゲージを製作する。ゲージ用の抵抗箔の面積が十分大きな場合は、多面のパタンを露光することも可能である。
【図面の簡単な説明】
【００１０】
【図１】従来の電気抵抗箔を用いたひずみゲージの製作例の説明図である。
【図２】本発明の、電気抵抗箔を用いたひずみゲージの製作例の説明図である。
【符号の説明】
【００１１】
１  ゲージパタンが作られたスクリーン
２  スクリーンから作られたマスク
３  フォトレジストを塗布した、絶縁フィルムに接着されたゲージ用抵抗箔
４  光源
５  スキャンニングシステム付きレーザー発生装置
【図１】
2014219357.tif 000003
【図２】
2014219357.tif 000004
(57)【要約】【課題】本発明は、冷蔵庫内ポケットに収納する調味料などが倒れて乱雑になるのを防ぎ、調味料を整理して出し入れしやすい、仕切りを提供する。【手段】冷蔵庫内ポケットに収まるサイズの板底を設け、板底の淵周に一定間隔で数本の柱を設けて、その上端に通し穴を設けて隣り合う全ての通し穴を連結する形で伸縮性紐材を通し設けた冷蔵庫内ポケットの仕切り。【選択図】図１
2014219182.tif 000002
【特許請求の範囲】
【請求項１】
冷蔵庫内ポケットに収まるサイズの板底を設け、板底の縁周に一定間隔で数本の柱を設けて、各柱の上端に通し穴を設けて、隣り合う全ての通し穴を連結する形で伸縮性紐材を通し設けたことを特徴とする冷蔵庫内ポケットの仕切り。
【発明の詳細な説明】
【技術分野】
【０００１】  本発明は、冷蔵庫内ポケットに収納する調味料などが倒れて乱雑になるのを防ぎ、調味料を整理して出し入れしやすい仕切りに関するものである。
【背景技術】
【０００２】  従来では、冷蔵庫内ポケットの中に仕切りがなく、冷蔵庫扉を開閉する度に、冷蔵庫内ポケットに収納している、様々なサイズの調味料が倒れたり、端に寄ったりした。
【発明の概要】
【発明が解決しようとする課題】
【０００３】  従来、次のような問題点があった。
（イ）冷蔵庫内ポケットの中に仕切りがなく、冷蔵庫扉を開閉する度に、冷蔵庫内ポケ        ットに収納している、様々なサイズの調味料が倒れたり、端に寄ったりして乱雑        になった。
（ロ）マヨネーズやケチャップなどのソフト容器は、中身が少なくなるにつれて底に倒        れて、他の調味料を出し入れする妨げとなり、取りだしづらくなった。
（ハ）調味料は大きさや高さが様々なので、一般的な仕切りではジャストサイズに収ま        らず、仕切り内に余分なスペースがあまったり、整理がつかなくなったりして、        逆にスペースを取るだけになったりした。
（ニ）一般的な仕切りの枠は固定型で固く、調味料を出し入れする時につかえたりぶつ        かったりして、調味料の出し入れがスムーズにできず邪魔だったりした。
本発明は、以上の問題点を解決するためになされたものである。
【課題を解決するための手段】
【０００４】  冷蔵庫内ポケットに収まるサイズの板底を設け、板底の縁周に一定間隔で数本の柱を設けて、各柱の上端に通し穴を設けて、隣り合う全ての通し穴を連結する形で伸縮性紐材を通し設ける。
本発明は、以上の構成よりなる冷蔵庫内ポケットの仕切りである。
【発明の効果】
【０００５】  （イ）冷蔵庫内ポケットの中に付け外し式の仕切りを設けることで、冷蔵庫扉を開閉す        る度に、冷蔵庫内に収納している、様々なサイズの調味料が倒れたり、端に寄っ        たりして乱雑になるのを防ぎ、冷蔵庫内ポケットの中がスカスカになっても仕切        り枠が、調味料の倒れや寄りを防ぐ。
（ロ）マヨネーズやケチャップなどのソフト容器の中身が少なくなっても、倒れなくな        り、スムーズに出し入れできる。
（ハ）伸縮性のある仕切りは、柔軟に動いたり伸びたりするので、高さや幅がまちまち        な調味料でも、仕切り枠にぴったりとフィットさせて支えるので、スペースを余        らせずに効率よく収納して、倒れや寄りも防ぐ。
（ニ）冷蔵庫内ポケットの整理がついて、目的の物をすぐに見つけ出し、出し入れがス        ムーズになる。
（ホ）収納する調味料等が底板からはみだしても柔軟に伸縮する仕切りが押えて支える        ので、底板のサイズを冷蔵庫内ポケットと同サイズにする必要がなく、様々なサ        イズの冷蔵庫内ポケットに対応することができる。
【図面の簡単な説明】
【０００６】
【図１】本発明の実施例を示す斜視図
【図２】本発明を使用してない通常の冷蔵庫の状態を示すイメージ図
【図３】本発明の斜視図
【図４】本発明の実施例を示す斜視図
【発明を実施するための形態】
【０００７】  以下、本発明の実施の形態を説明する。
冷蔵庫内ポケットに収まるサイズの板底（４）を設け、板底（４）の縁周に一定間隔で複数本の柱（３）を設けて、各柱の上端に通し穴（２）を設けて隣り合う全ての通し穴（２）を連結する形で伸縮性紐材（１）を通し設ける。
本発明は以上のような構造でこれを使用する時は、冷蔵庫内ポケット（５）の底に底板（４）を置き、伸縮性紐材（１）で仕切られた枠の中にマヨネーズやマスタードなどの調味料やペットボトルなどを収納して使用する。仕切り枠が伸縮するので余分なスペースが余ることがなく、効率よく収納することができて、冷蔵庫扉（６）の開閉時に調味料が倒れたり寄ったりしないようにしっかり支えてガードする。冷蔵庫内が常に整理整頓されて、目的のものをすぐに出し入れできて、冷蔵庫を気持ち良くスムーズに利用することができる。
【符号の説明】
【０００８】  （１）紐材
（２）通し穴
（３）柱
（４）底板
（５）冷蔵庫内ポケット
（６）冷蔵庫扉
【図１】
2014219182.tif 000003
【図２】
2014219182.tif 000004
【図３】
2014219182.tif 000005
【図４】
2014219182.tif 000006
(57)【要約】【課題】  従来、熱エネルギーを生じさせるためには、化石燃料などの天然資源を用いたり原子力を用いたりしていた。そのほとんどは、環境に与える影響が問題となっていた。【解決手段】  本発明は、大気圧の力で熱エネルギーを生じさせる事を目的としたものである。  装置内部の空気を暖め、空気を上昇させてできた低気圧の空間に外部より内部への大気圧の力で空気を取り込む。  気圧の差を利用し、外部より装置内部へ取り込んだ空気を大気圧の力で圧縮し、熱を生じさせる。【選択図】図１
2014219185.tif 000002
【特許請求の範囲】
【請求項１】
装置、内部空間の空気を暖め、空気を上昇させてできた低気圧の空間に、外部より内部へ大気圧の力で空気を内部に取り込む装置
【請求項２】
気圧の差を利用し、大気圧の力で外部より内部へ取り込んだ空気を、大気圧の力で圧縮し熱を発生させる装置
【請求項３】
内部で発生する圧縮空気による圧力にたえる装置
【発明の詳細な説明】
【技術分野】
【０００１】  この発明は、大気の圧力をつかい、空気を圧縮し熱を発生させる装置に関するものである
【背景技術】
【０００２】  従来、熱エネルギーを生じさせるために、化石燃料などの天然資源を用いたりしていた。
【発明の概要】
【発明が解決しようとする課題】
【０００３】  いままでは、熱を発生させるために、化石燃料などの天然資源に頼ったり、原子力によって生み出されるものが多かった。
そして、そのほとんどは、熱を発生させる際に二酸化炭素を排出したり、放射能問題など環境に与える影響が懸念されていた。
本発明は、化石燃料などの天然資源に頼らず、原子力にも頼らずに、大気圧の力で熱エネルギーを発生させる事を目的としたものである。
【課題を解決するための手段】
【０００４】  装置内部の空気を暖め、空気を上昇させてできた低気圧の空間に、外部より内部へ大気圧の力で空気を内部に取り込む。
気圧の差を利用し、外部より内部へ取り込んだ空気を大気圧の力で圧縮し熱を発生させる。
そして、空気圧縮時に内部で発生する圧力をおさる強度、重さを装置にもたせる。
【発明の効果】
【０００５】  気圧の差を利用し、大気圧の力を利用するため特定の燃料を必要としない。二酸化炭素などを排出しないため環境を害しない。
【図面の簡単な説明】
【０００６】
【図１】  装置全体を示した断面図である
【図２】  装置全体を示した斜視図である
【発明を実施するための形態】
【０００７】  以下、本発明の実施するための形態について説明する。
まず装置内、内部空間下部１において、空気を暖め、もしくは熱し空気を上昇させる。空気は熱をもつと上昇し、内部空間下部１に低気圧の空間ができる。その低気圧の空間が出来た内部空間下部１に、外部空気孔３から大気が流れ込む。内部の低気圧の空間に外部空気孔３から大気が流れ込み、大気の圧力で空気が内部空間上部２に押し上げられ圧縮される。空気の圧縮により熱が発生し、熱が発生すると空気はさらに上昇し、内部空間下部１に低気圧の空間をつくり、そこに外部より大気が流れ込み、大気の圧力で空気を圧縮し、さらに熱を発生させる。
本発明は、以上のような構造で、内部と外部の気圧の差を利用し内部に空気を取り込み、内部において、大気圧の力で空気を圧縮し熱を発生させる装置である
【符号の説明】
【０００８】  １  内部空間下部
２  内部空間上部
３  外部空気孔
４  空気通路
【図１】
2014219185.tif 000003
【図２】
2014219185.tif 000004
(57)【要約】      （修正有）【課題】弦をつま弾く側の手の肘が当たっても痛みが無く演奏に集中できるよう、ギターのボディの角ばった部分に柔らかな素材のクッションを装着する。【解決手段】外形は略ブーメラン状で、その外面はなだらかな円弧状で裏面は約９０°の角度で構成された２面をなし、その一面はギターボディ外側部のカーブに適合させた柔らかな素材のものを演奏時に弦をつま弾く側の手の肘がかかるギターボディ部位に密着させ設置する。【選択図】図４
2014219646.tif 000002
【特許請求の範囲】
【請求項１】
外形は略ブーメラン状で、その表面はなだらかな円弧状で裏面は９０°の角度で構成された２面をなし、その裏面の一面はギターボディ外側部のカーブに適合させ、演奏時に弦をつま弾く側の手の肘の当たるギターボディ部位に密着させ設置してなる、柔らかな素材で構成された肘あてクッション。
【発明の詳細な説明】
【技術分野】
【０００１】本発明はギターのボディに設置する肘あてに関する。
【背景技術】
【０００２】ギターを演奏する場合、通常左手でギターのネックを握り右手はボディ上部側面部分に肘を乗せる形で演奏をする。その際、特にアコースティックギターの場合、構造上ボディの表板と側板が結合している約９０度の角ばった部分に右肘を乗せて演奏をする事になる。その角ばった部分に肘を乗せて演奏をする事によりその肘に徐々に傷みが生じて演奏の妨げになる。また、服装の種類により異なるが半袖などのシャツでは角ばった部分が直接右肘の肌に食い込み長時間の演奏では痛みが増し従って快適な演奏が難しくなる。その結果、演奏後に角ばった部分に乗せていた肘を見ると、直線状の窪んだ一筋の跡が残る事になってしまいしばらくその跡と傷みは取れない。
【先行技術文献】
【０００３】
【特許文献１】実用新案登録第３１６７２９１号
【発明の概要】
【発明が解決しようとする課題】
【０００４】従来、肘の痛みを軽減するような物は無く、技術的に実用新案登録第３１６７２９１号のようにギターの制作段階でボディ（共鳴箱）の表板を滑らかな傾斜面２１に加工して肘の当る部分だけを面で支え痛みを軽減するやり方がある（図１）。
しかしこの場合、表板を曲げてしまうため、表板で一番大切な弦の振動により板に共鳴させるという効果が無くなってしまう。表板に使われる薄い一枚板の役割として太鼓の皮の部分のような働きがある。平らな状態では振動するがそれを曲げてしまうとその振動は無くなってしまいその結果、側板、裏板にも弦の振動が届かず低音から高音までバランスの悪い響かない音になってしまう。
また、アコースティックギターの長い歴史により、よりよい音質になるよう設計の段階から材質、ボディの形状、ネックのサイズなど細部にわたり細かく計算しつくされ完成度の高いギターが完成する。したがって安易にボディ材を曲げたり削ったりしてしまう事によりボディ（共鳴箱）の性質を変えてしまい本来の能力を低下させてしまう結果になってしまう。
また、この加工による技術も容易ではなく、生産コストがかかり大量生産は難しく一般には市販ができないようになってしまう。したがってこのギターを所有するにはメーカーに１点物のオーダーをしなければならない。しかし音質効果も悪く無駄に高額なギターになってしまい本来の「肘の痛みを軽減する」という目的からかなりかけ離れた粗悪なギターになる恐れがある。
また、エレキギターでは肘の当たる部分の木材を斜めにカットして肘の痛みを軽減するコンターカット加工という技法がある。しかし、ボディは固い木材であるため長時間の演奏では必ず肘の痛みを伴う事になる。
【課題を解決する為の手段】
【０００５】外形は略ブーメラン状で、その外面はなだらかな円弧状で裏面は約９０°の角度で構成された２面をなし、その一面はギターボディ外側部のカーブに適合させた柔らかな素材のものを演奏時に弦をつま弾く側の手の肘がかかるギターボディ部位に密着させ設置する。
【発明の効果】
【０００６】ａ）このクッションをギターに装着する事により外面部分は丸くなっているので、そこに  肘が乗る事により以前のような傷みが無くなる。
ｂ）このクッションを取付ける事により汗の付着によるギターの塗装のダメージを予防す  る事ができる。
ｃ）このクッションを取付ける事により外部からの衝撃によるキズの防止になる。
ｄ）このクッションは性質上、簡単に脱着できるのでギターへのダメージが無い。
【図面の簡単な説明】
【０００７】
【図１】本発明の肘あてクッション表面裏面を示す図
【図２】本発明の肘あてクッションのｘｘ’断面図
【図３】本発明の肘あてクッションをギターのボディに設置した図
【図４】本発明の肘あてクッションをギター本体に設置した状態で演奏を行っているイメージ図
【発明を実施するための形態】
【０００８】以下、発明の実施の形態を図２〜図５に基づき説明する。
本発明の肘あてクッションの形態は略ブーメラン状の形に似ている（図２）。
しかし、本発明の肘あてクッション１はブーメランとは異なり表面と裏面がありその両面の形状や役割はまるで異なる。本発明の肘あてクッション１の表面は肘が乗る部分であるため柔らかな素材で丸く円弧状の山形になっている。
その裏面はギターへの装着面でボディの表板２０と側板３０が結合する約９０°の角度の部分に装着するため円弧状のなだらかな曲線状にえぐるようにカットされている。図３に示すように本発明の肘あてクッションのｘｘ’断面はボディに当たる面が９０°のＬ字型になっている。
注意しなければならない点として、アコースティックギターのボディに使われる板には単板と合板がある。単板とは一枚の板により性質上繊細な振動が伝わりやすいため、拾った弦の振動をボディ全体に共鳴させる音響効果に優れている。しかし高価であるため中級者、上級者用の高級ギターに多く使用される。
また合板は２枚の板を張り合わせた物でコストを抑えたり強度を上げるために用いられるが単板ほど振動しないため音の響きが悪い安価なギターに多く使用される。よって、単板と合板との違いにより音質の効果も大きく左右してしまうためこのクッションを装着する際、表板２０と側板３０の振動を極力妨げないように約１３センチ前後の適度な大きさにした。
【０００９】クッションの素材は肌に優しい柔らかな素材として、好ましくは軟質プラスティック、軟質ゴム、最も好ましいのは軟質シリコンゴムとする。
【符号の説明】
【００１０】１    肘あてクッション
２０  表板
３０  側板
【図１】
2014219646.tif 000003
【図２】
2014219646.tif 000004
【図３】
2014219646.tif 000005
【図４】
2014219646.tif 000006
(57)【要約】      （修正有）【課題】テストの採点をする際、○や△などを書くと同時に分野別の得点のデータ化と分析が同時にできるようなシステム構成とパソコンのソフトウエアを提供する。【解決手段】テストをイメージスキャナで読み込み、パソコン２にインストールされた採点システムソフトを起動させながら、タッチパネル対応のディスプレイ３上で読み込んだテスト用紙に今までと同じように○付けをする。採点システムソフトは、丸がつけられた式や答えの座標を読み取り、事前に決められた配点によって得点を記録・表示していく。そして、テストは、採点が終了した時点でプリンター１によって赤丸や△、×などが書かれたイメージ通りに印刷されて出力される。したがって、画面上テストの○付けが終了した時点で、○付けと採点と分野別の集計が終了する。【選択図】図１
2014219949.tif 000002
【特許請求の範囲】
【発明の詳細な説明】
【技術分野】
【０００１】この発明は、学校や塾のテストの○付けと採点と集計を同時に行うテスト採点システムに関するものである。
【背景技術】
【０００２】従来、ペーパーテストは赤ペン等で○付けを行い、得点を計算し、書き、後に表計算ソフト等で学力の分野別に集計して個人の能力を判別していた。
【先行技術文献】
【特許文献】
【０００３】
【特許文献１】
【発明の概要】
【発明が解決しようとする課題】
【０００４】  これは次のような欠点があった。
従来、テストの○付けと採点と分析の作業に時間的がかかりすぎた。忙しい教師にとって、採点が大切ではなく、誤りの発見や個人の能力の判別に意味がある。それにもかかわらず、テストの採点という作業に多くの時間が取られてしまっている。
そして、採点後の入力や集計は表計算ソフトなどを使うことが多いが、転記の際に誤りがあることも少なくない。ＯＣＲソフトなどによる自動採点システムも考えられるが、未だ子どもの字を正確に読み取ることは不完全である。現在でも、採点は基本的に教師の手作業である。
また、教師の手は常に赤ペンで汚れるなどの弊害もあった。
本発明は、以上のような欠点をなくすためになされたものである。
【課題を解決するための手段】
【０００５】  まず、テストをイメージスキャナで読み込む（テストの大きさに対応したスキャナが望ましい。両面同時読み込みが望ましい。）。次に、パソコンにインストールされた採点システムソフトを起動させながら、タッチパネル対応のディスプレイ上で読み込んだテスト用紙に今までと同じように○付けをする。採点システムソフトは、丸がつけられた式や答えの座標を読み取り、事前に決められた配点によって得点を記録・表示していく。そして、テストは、採点が終了した時点でプリンターによって赤丸や△、×などが書かれたイメージ通りに印刷されて出力される。したがって、画面上テストの○付けが終了した時点で、○付けと採点と分野別の集計が終了していくシステムである。
本発明は、以上の構成よりなるテスト採点システムである。
【発明の効果】
【０００６】  ○付けと採点と集計が同時に行え、処理しやすい電子データと子どもに返却するテストの○付けが印刷でできるため、革命的な時間の節約と正確な分析が可能となる。
【図面の簡単な説明】
【０００７】
【図１】本発明のシステム構成図である。
2014219949.tif 000003
【仕様書】
本発明のソフトウェアの仕様である。
１  スタイラスペンによりディスプレイ上に映し出されたテストの写真に○や△が書ける    。
２  書かれた○や△などの座標を読み取り、配点データに沿った得点として認識し、数値    化して保存できる（エクセルデータ形式）。
３  ○付け終了後、プリンターから○や△の印刷されたテストが出力される。
４  入力されたデータは、自動的に分析される。
５  ○や△は、手書き風にできたり、機械的な○や△ができたりすると良い。
【発明を実施するための形態】
【０００８】  以下、本発明を実施するための形態について説明する。
パソコン（１）と２３インチ程度のディスプレイ（２）とスキャナ機能のあるプリンター（Ａ３版対応）（３）とタッチパネルに対応したスタイラスペン（４）とパソコン上で動く専用のソフトウェア（５）で構成される。これを使用する時は、ディスプレイ上に映し出されたテストにスタイラスペンで○付けをしていくだけで採点と○付け、分析が平行してできる。
【符号の説明】
【０００９】  １  スキャナ機能付きプリンター
２  パソコン
３  ディスプレイ
４  スタイラスペン
５  ソフトウエア
【図１】
2014219949.tif 000004
【図２】
2014219949.tif 000005
【手続補正書】
【提出日】平成25年6月29日(2013.6.29)
【手続補正１】
【補正対象書類名】特許請求の範囲
【補正対象項目名】全文
【補正方法】変更
【補正の内容】
【特許請求の範囲】
【請求項１】
スキャナで読み込んだテストのデータに○付けが終了した時点で、○付けと採点と分野別の集計が終了してしまうテスト採点システムである。
【手続補正２】
【補正対象書類名】明細書
【補正対象項目名】０００７
【補正方法】変更
【補正の内容】
【０００７】
【図１】本発明のシステム構成図
【図２】本発明のディスプレイ上のイメージ図１  スタイラスペンによりディスプレイ上に映し出されたテストの写真に○や△が書ける。２  書かれた○や△などの座標を読み取り、配点データに沿った得点として認識し、数値化して保存できる（エクセルデータ形式）。３  ○付け終了後、プリンターから○や△の印刷されたテストが出力される。４  入力されたデータは、自動的に分析される。５  ○や△は、手書き風にできたり、機械的な○や△ができたりすると良い。
(57)【要約】【課題】    腰かけタップダンスを行う際、足で床を叩くので近所や特にマンションの下の階に騒音の迷惑をかけることがあった。【解決手段】  腰かけタップダンスをしてもはみ出ない程度の適度な大きさの本体（１）に騒音防止効果のある適度な厚みのスポンジ等の騒音防止部（２）を設け、底面に粘着部（３）を設けたことを特徴とする。【選択図】図１
2014002346.tif 000002
【特許請求の範囲】
【請求項１】
腰かけタップダンスをしてもはみ出ない程度の適度な大きさの本体（１）に騒音防止効果のある適度な厚みのスポンジ等の騒音防止部（２）を設け、底面に粘着部（３）を設けたことを特徴とする、腰かけタップダンス用騒音防止具。
【発明の詳細な説明】
【０００１】  本発明は、腰かけタップダンス用騒音防止具に関するものである。
【背景技術】
【０００２】  従来、腰かけタップダンス用騒音防止具はなかった。
【発明の概要】
【発明が解決しようとする課題】
【０００３】それには次のような問題点があった。
腰かけタップダンスを行う際、足で床を叩くので近所や特にマンションの下の階に騒音の迷惑をかけることがあった。
本発明は、以上の問題点を解決するためのものである。
【課題を解決するための手段】
【０００４】  腰かけタップダンスをしてもはみ出ない程度の適度な大きさの本体（１）に騒音防止効果のある適度な厚みのスポンジ等の騒音防止部（２）を設け、底面に粘着部（３）を設ける。
本発明は、以上の構成よりなる腰かけタップダンス用騒音防止具に関するものである。
【発明の効果】
【０００５】  衝撃を吸収する、スポンジ等を用いた事により衝撃を吸収して近所や特にマンションの下の階などに騒音がしなくなる。
【図面の簡単な説明】
【０００６】
【図１】  本発明の斜視図である。
【図２】  本発明の使用斜視図である。
【発明を実施するための形態】
【０００７】  以下、本発明を実施するための形態について説明する。
椅子に腰かけてタップダンスをする際に足（４）がはみ出ない程度の適度な大きさの本体（１）に適度な厚みのあるスポンジ等の騒音防止部（２）を設け、底面に繰り返し使用できる剥離紙付きの粘着部（３）を設ける。
本発明は、以上の構成よりなっている。
本発明を使用するときは、椅子に腰かけて足（４）が乗せやすい場所に底面の剥離紙を剥がして粘着部（３）を固定して本体の上部の騒音防止部（２）に足（４）を置いて使用すれば近所や特にマンションの下の階等への騒音が防止される。絨毯などそのまま本体（１）が固定できる場合は底面の剥離紙を剥がさずに使用しても同様の効果が期待できる。
【符号の説明】
【０００８】      １  本体
２  騒音防止部
３  粘着部
４  足
【図１】
2014002346.tif 000003
【図２】
2014002346.tif 000004
(57)【要約】      （修正有）【課題】マルチカメラ構成のパノラマ画像撮影装置で視差の少ないマルチ画像を提供するマルチカメラ構造を提供する。【解決手段】同一面内でカメラを回転配置し画像を合成するマルチカメラ構成のパノラマ画像撮影装置において、マルチカメラを構成する各カメラのレンズの入射瞳位置もしくは入射瞳位置近傍を合成点とし、全カメラのレンズの合成点が同一点もしくは近傍となるように各レンズを位置決め配置し、視差を最小限にする構成とする。【選択図】図２
2014002329.tif 000002
【特許請求の範囲】
【請求項１】
複数の画像を合成して画像を得るマルチカメラ方式のパノラマカメラにおいてレンズの入射瞳位置、もしくは入射瞳位置近傍を組み合わせ点として同一面内で回転させた配置でレンズを構成するするマルチレンズ構成のマルチカメラ。
【発明の詳細な説明】
【技術分野】
【０００１】
本発明は一般的に撮像装置に関する。特に、本発明はパノラマ映像発生用マルチ・カメラ方式の撮像装置に関する。簡単な合成アルゴリズム特定用途向け撮像装置で複数のカメラで構成するマルチカメラ方式に位置づけることができる。
【背景技術】
【０００２】
通常、パノラマ映像の生成は単一カメラによる複数画像撮影や複数のカメラにより同時に撮影し、その画像をイメージプロセッサーによりパノラマ映像構成する必要がある。
静止パノラマ映像で複数回撮影するための撮影モーター(カメラを左右(上下)に動かして撮影するモーター)を有する単一カメラを用い、その後、各回に捕捉された映像を合成 (ステッチィング)することにより形成されえる。例えば、特許文献１は、広角映像を捕捉するための撮影モーターを含み撮影が難しく大型化する。
【０００３】
従って、簡単な機構と視差の発生が少ない簡単な合成（ステッチィング）アルゴリズムによってパノラマ映像を生成することが望まれており、本案は簡単な構成により視差の少ないマルチカメラを構成する。
【０００４】
複数のカメラを配置し撮影した画像は視差が生じるために、合成ポイントのブレンディング、パターンマッチングなど合成のための画像処理が非常に重たくなり動画処理が難しくなりフレームレートの低下などを引き起こしてしまう。マルチカメラの入射瞳位置が同点もしくは近傍であれば合成のための画像処理が軽くなり動画合成においてもフレームレート低下などを発生させずに合成パノラマ画像を構成することが出来る。
【先行技術文献】
【特許文献】
【０００５】
【特許文献１】特開平１１−００８８４５号公報
【発明の概要】
【発明が解決しようとする課題】
【０００６】
本発明のマルチカメラ撮像装置は、パノラマ画像を生成するための解決法でハードにより視差を最小限に近づける構成であり、視差が少ないために簡単な合成（ステッチィング）アルゴリズムが実行で
きるように、マルチカメラの合成ポイントを提供する。これを実現するために全のレンズの入射瞳位置を同一点、同一点に近づける構成となっている。
【課題を解決するための手段】
【０００７】
図２を代表例とするようにマルチカメラ方式の撮像装置において、Ｎ個のレンズと、各レンズを水平方向にθi度 (０＜θｉ＜水平画角,ｉ＝１,２,…,Ｎ−１)の回転により他の入射瞳位置、もしくは近傍に置く位置決め手段より成り、該位置決め手段が、全レンズの入射瞳交差ポイント同一点もしくは近傍になるように各レンズを位置決めする。
【発明の効果】
【０００８】
複数の画像からパノラマ映像を作り出す場合パノラマ合成アルゴリズム、アルファーブレンディング、パターンマッチングなどを用いての画像合成は、パノラマ映像を生成する際にほとんどの計算電力を消費する部分である。高フレームレート・ビデオ（例えば、３０フレーム／秒）に対し
て、１／３０秒ごとに合成ポイントを更新する性能を達成するには現在のＰＣでも十分に強力ではない。本発明では、一定の一致した合成ポイン トを有する映像を撮影するために、マルチレンズの入射瞳位置を一致もしくは非常に近傍に配置することにより合成ポイント処理を高速に行えうるマルチカメラ構造を提供する。
【図面の簡単な説明】
【０００９】
【図１】本発明の実施形態におけるレンズ１本の構成図。
【図２】本発明の実施形態において、マルチレンズとし組み合わせた構成図。
【図３】本発明の実施形態において、マルチカメラの撮影範囲図
【発明を実施するための形態】
【実施例１】
【００１０】
図２に示すようにレンズの入射瞳近傍を空間で構成し、マルチカメラそれぞれの入射瞳位置をマルチカメラの組み合わせ点１６を中心とし同一面内で回転、合成した入射瞳位置と同点または近傍に配置し視差を最小限にする構成となるマルチカメラ構成。
【実施例２】
【００１１】
このレンズ構成では空間となっているがプラレンズなどレンズで構成されても良くマルチレンズ互いの入射瞳近傍が接近して配置される構造なら良い。
【符号の説明】
【００１２】
１１      レンズ
１２      空間
１３      レンズ
１４      レンズ
１４−１  レンズ
１４−２  レンズ
１４−３  レンズ
１５      センサー
１６      組み合わせ点
２１−１  カメラＡ
２１−２  カメラＡ撮影範囲
２２−１  カメラＢ
２２−２  カメラＢ撮影範囲
２３−１  カメラＣ
２３−２  カメラＣ撮影範囲
【図１】
2014002329.tif 000003
【図２】
2014002329.tif 000004
【図３】
2014002329.tif 000005
(57)【要約】      （修正有）【課題】インターネット上に音楽だけの投塙システムプログラミング・アプリケーションを提供する。【解決手段】インターネット上の動画投塙サイトやアプリケーションのように、「音楽投塙用」のプログラミング、システムにより、音楽や自分でつくった自作曲、他作曲、音、音楽やセリフなどの音声データを、動画もなく音楽、音、声などで投塙する。アイコンをクリックあるいはタップすることにより、自作他作の音楽やトーク、音など音声データを、内蔵のプロフィール文章入力システム、歌詞入力システム、フォロー、フォロワー、視聴数、内蔵サンプリング動画・ＣＧなど、自作や他作の音楽を投塙できる。【選択図】なし【特許請求の範囲】
【請求項１】
〔０００１〕
従来のインターネット上の動画投塙サイトやアプリケーションのように「ａｓ−ｍｕｓｉｃ」は音楽や自分でつくった自作曲、他作曲、音、音楽やセリフなど音声データを動画もなく音楽、音、声などで投塙できる「音楽投塙用」のプログラミング、システム発明である。「ａｓ−ｍｕｓｉｃ」このアイコンをクリックあるいはタップすれば自作他作の音楽やトーク、音など音声データを内蔵のプロフィール文章入力システム、歌詞入力システム、フォロー、フォロワー、視聴数、
2014002704.tif 000003
内蔵サンプリング動画・ＣＧなど自作や他作の音楽を投塙できるＹｏｕ−ｔｕｂｅ９音楽版のような投塙システムプログラミング発明である。「ａｓ−ｍｕｓｉｃ」で、気軽に動画なしで自作他作の音楽を投塙・視聴・判断できて実確に世界に発信するインターネットの音楽投塙プログラムのアプリケーションコンテンツで生活が豊かになる発明である。
【発明の詳細な説明】
【技術の分野】
【０００２】本発明は従来のユーチューブのように音楽だけを投塙する発明であり、動画とは違う発明である。
2014002704.tif 000002
【０００３】従来のインターネットには音楽だけの投塙システムがなかった
【発明が解決しようとしている課題】
【０００４】従来のインターネットには音楽だけの投塙システムがなかった。
【悩みを解消する手段】
【０００５】従来のインターネット上に音楽投塙システムをつくる
【発明の効果】
【０００６】従来のインターネット上に音楽投塙サイトシステムをつくり効果あり。
【発明を実施するための形態】
【０００７】従来のインターネット上に音楽だけの投塙システムをつくる
(57)【要約】【課題】高齢者などが転倒して手すり金物に、ぶつかり怪我をしている、その怪我を防止するために、手すり金物にクッション性のある素材で出来たカバーを被せる、又は手すり金物自体をクッション性のある素材で被覆塗装する事を提供する。【解決手段】手すり金物にクッション性のある素材で出来たカバー（１）を被せる、又は手すり金物自体にクッション性のある素材で被覆塗装してあれば高齢者などが転倒して手すり金物にぶつかっても打撲の衝撃を軽減して怪我を最小限に迎える事を特徴とする。【選択図】図１
2014047619.tif 000002
【特許請求の範囲】
【請求項１】
手すり金物に体が接触しても怪我をしないように、また開閉したドアなどに手すり金物が接触してもドアに傷が付かないように、手すり金物にクッション性のある素材で出来たカバーを被せる、又は手すり金物自体をクッション性のある素材で被覆塗装する。
【発明の詳細な説明】
【技術分野】
【０００１】この発明は、高齢化社会の到来により、手すりを取付け設置する機会が多くなっているが、転倒などした際に取付け金物に、ぶつかり怪我をするケースなどが多発している、その怪我を防止出来れば、社会的貢献に多大なるものがある。
【背景技術】
【０００２】高齢者などが転倒して、手すり金物にぶつかり、怪我をするケースが多発しているが、その怪我を防止するような有効な装置は無かった。
【先行技術文献】
【０００３】
【特許文献１】
【非特許文献１】
【発明の概要】
【発明が解決しようとする課題】
【０００４】これまでは次のような欠点があった。
高齢者などが転倒して、手すり金物などに、ぶつかり怪我をするケースがあったが、それを防止するような有効な手段がなかった。本発明は、以上のような欠点を無くすためになされたものである。
【課題を解決するための手段】
【０００５】手すり金物にクッション性（１）のあるカバー被せる、又は手すり金物自体をクッション性のある素材で被覆塗装する、本発明は以上の構成よりなる、手すり金物クッション性保護カバーである。
【発明の効果】
【０００６】手すり金物にクッション性のあるカバーを被せる、又は手すり金物自体をクッション性のある素材で被覆塗装する事で、高齢者などが転倒して手すり金物にぶつかっても、クッション性があれば、打撲の衝撃を軽減して怪我を最小限に迎える事が出来るので、高齢者などにとって大変有益である。
【図面の簡単な説明】
【０００７】
【図１】本発明の立体図である。
【０００８】以下、本発明を実施するための形態について説明する。
手すり金物にクッション性のある素材で出来たカバー（１）を被せる、又は手すり金物自体がクッション性のある素材で被覆塗装してあれば、クッション性があるので、高齢者などが転倒して手すり金物にぶつかっても打撲の衝撃を軽減して怪我を最小限に迎える事が出来る。
【符号の説明】
【０００９】１  手すり金物にクッション性のある素材で出来たカバーを被せて取付ける、又は手すり金物自体をクッション性のある素材で被覆塗装する。
【図１】
2014047619.tif 000003
(57)【要約】【課題】除雪、土砂の運搬作業においては、前屈みの姿勢となる為、つらい作業となり、腰に大変な負担が掛かります。この前屈みの姿勢を緩和し、疲労を軽減するスコップを提供する。【解決手段】スコップの軸部の前面上部にアーチ状又は、コの字状の補助ハンドルを、取り付け、作業する時は片手でグリップを持ち、もう片方の手で、この補助ハンドルをつかんで作業を行なう。そうすれば、前かがみの姿勢が緩和されて、腰に負担がかからず、楽に作業ができ、疲労も少ない。【選択図】図１
2014047618.tif 000002
【特許請求の範囲】
【請求項１】
軸部の上面に保持する為の、補助ハンドルを付けた、スコップ。
【請求項２】
その補助ハンドルは、スコップの軸部の反対側から木ネジを貫通させて軸部の本体に固定する事を特徴とする、請求項１記載のスコップ。
【請求項３】
その補助ハンドルの先端部は、ネジが切られていて、スコップの軸部の本体を貫通して、ネジで固定する事を特徴とする、請求項１記載のスコップ。
【請求項４】
その補助ハンドルの先端部は、中空になった軸部に差し込んで固定する事を特徴とする、請求項１記載のスコップ。
【発明の詳細な説明】
【技術分野】
【０００１】本発明は、除雪、土砂運搬作業における上半身のキツイ前かがみ姿勢を緩和して、楽な姿勢での作業を可能にする、使い易い除雪、土砂運搬用具を提供する。
【背景技術】
【０００２】従来において、市販されている除雪、土砂用スコップは、軸部が真っ直ぐな為に使う場合には、片方の手を軸部の下の部分を掴まなくてはいけなかった。【０００３】そのためキツイ前傾姿勢を強いられて、作業は苦しいものであった。
新しく開発されたスコップもあるが、軸部は太く金属製で湾曲している。
そのため重量が重く、価格も普通のスコップより高い。
【発明の開示】
【発明が解決しようとする課題】
【０００４】スコップを使う時、片手はグリップを握り、もう片方の手はスコップの軸部を握らないといけない、そうするとスコップを使う時に、苦しい前傾姿勢となる。
【課題を解決するための手段】
【０００５】スコップの軸部に、補助ハンドルを付けて、その部分を握って作業すれば体全体が起きて、苦しい前傾姿勢をしないで作業出来る。【０００６】この補助ハンドルは、スコップの軸部よりも、細めの物を採用している為、掴み易く、価格も高くない。
【発明の効果】
【０００７】これにより、雪かき作業等をする人は、体を起こした状態で作業する事が出来て、極端な前傾作業で健康を害する事もなく、疲労が軽減され、作業の能率も上がる。【０００８】本発明の補助ハンドルは、既存のスコップに取り付けて使う事が出来るので、新しくスコップを買う必要はなく、資源の有効利用が図れる。
【産業上の利用可能性】
【０００９】上述の発明は、女性、高齢者、腰痛持ちの人向けに、考えられた物であるが、男性でも、誰にでも使い易く考えられた、ユニバーサルデザインの製品である。
【図面の簡単な説明】
【００１０】
【図１】  補助ハンドルをスコップに取り付けて使う時の図。
【図２】  軸部の反対側から、木ネジを貫通させて、補助ハンドルを固定した図。
【図３】  補助ハンドルの先端にネジを切って、ナットで固定した図。
【図４】  中空の軸部に補助ハンドルを差し込んで固定した図。
【符号の説明】
【００１１】１…グリップ
２…軸部
３…補助ハンドル
４…木ネジ
５…ナット
６…中空の軸
【図１】
2014047618.tif 000003
【図２】
2014047618.tif 000004
【図３】
2014047618.tif 000005
【図４】
2014047618.tif 000006
(57)【要約】【課題】従来は太陽光発電パネルを屋根面へ取付けする場合は各メーカー専用金具を防水シール充填のうえ屋根面へ穴を開けビスならびにボルト等にて固定していますが、その防水シールの施工良否が現場では確かめられない施工上の実情や、防水シール自体の経年劣化よって将来、必ず取付け金具からの雨漏りによる問題が発生することが懸念されること。【解決手段】太陽光発電設置工事の主な雨漏り原因は、屋根面への取付け金具の防水シール不良やシール自体の経年劣化からです。各メーカー専用取付け金具の水上側（屋根上方向）へ本発明製品をシーリング等で接着取付けいただければ、パネル取付け金具へ直接雨水がかからないようになり、多くの経年劣化による雨漏りは事前に防止できるようになりリスクヘッジになる【選択図】図２
2014047617.tif 000002
【特許請求の範囲】
【請求項１】
太陽光発電パネルの屋根面取付金具からの雨漏れを防止する補強金物本体
【発明の詳細な説明】
【技術分野】
【０００１】本発明は、太陽光発電パネルの屋根面取付け金具からの雨漏り防止ならびに補強に関する
【背景技術】
【０００２】従来は太陽光発電パネルを屋根面へ取付けする場合は各メーカー専用金具を防水シール充填のうえ屋根面へ穴を開けビスならびにボルト等にて固定していますが、その防水シールの施工良否が現場では確かめられない施工上の実情や、防水シール自体の経年劣化よって将来、必ず取付け金具からの雨漏りによる問題が発生することが懸念されることから、太陽光発電パネルの取付け金具へ雨水が直接当たらないようにできる補強金物を開発しました。
【発明の概要】
【発明が解決しようとする課題】
【０００３】従来の太陽光発電パネルの屋根面へ取り付け金具の多くは屋根面に直接穴をあけ、防水シールやシーリング充填したのちビスやボルトで固定していますが、その防水シールならびにシーリングの施工良否や経年劣化による雨漏りが懸念されている
【課題を解決するための手段】
【０００４】そして雨漏りする原因は、屋根面への取付け金具の防水シール不良やシール自体の経年劣化から発生しますので、本発明品を水上側（屋根上方向）へシーリング等で接着取付けいただければ、パネル取付け金具へ直接雨水がかからないようになり、多くの雨漏りは事前に防止できるようになる
【発明の効果】
【０００５】太陽光発電施工後の雨漏りに対する安価で効果のあるリスクヘッジ
【図面の簡単な説明】
【０００６】
【図１】本発明の製品の平面図ならびに側面
【図２】本発明の製品施工例
【発明を実施するための形態】
【０００７】以下、本発明の実施の形態を図１、図２も基づいて説明する
【０００８】図１においては、１はスレート屋根材等の重ね部分に差し込めるように薄板にて製作し、２は屋根材にビス等にて固定することなくシーリングにて接着し嵌合効果をあげるための穴、３は屋根上から流れてくる雨水を乗り越えないように左右に振り分けるための水返しである。４は各メーカーの取付け金具に合わせて寸法を指定する。
【図１】
2014047617.tif 000003
【図２】
2014047617.tif 000004
(57)【要約】【課題】住宅等に床材を貼る工事をしたあとで、住宅建築工事の他の色々な工程により貼ったばかりの床材が汚されることがあった。本発明は床材本体に汚れが付着しないような床材を提供する。【手段】床材に容易に剥離できる薄いフィルムを接着、あるいは密着させ、汚れが床材に付かないようにする。【選択図】図１
2014047621.tif 000002
【特許請求の範囲】
【請求項１】
床材表面に、剥離できるフィルムを接着、あるいは密着させるなどして貼った床材。
【発明の詳細な説明】
【技術分野】
【０００１】本発明は表面に容易に剥離できる、フィルムを貼った床材に関するものである。
【背景技術】
【０００２】従来、床に貼る床材があった。
また、フィルムを貼った床材があるが、フィルムは床材構造の一部であり、施工後に剥離するフィルムではない。
【発明の概要】
【発明が解決しようとする課題】
【０００３】住宅の床材を貼る工事を行うと、その貼ったばかりの床材を鉋屑や接着剤等で汚してしまうことがあった。
【課題を解決するための手段】
【０００４】床材表面に容易に剥離できるフィルムを接着、あるいは密着させるなどして貼り、施工後の汚れを床材に付かないようにする。
【発明の効果】
【０００５】床材表面にフィルムが貼ってあるので、施工後の床材に鉋屑や接着剤が付いても、施工完了後に床材表面のフィルムを剥離することにより、全く汚れていない床材が出現する。
【図面の簡単な説明】
【０００６】
【図１】本発明の床材とフィルム
【発明を実施するための形態】
【０００７】床材の上に薄いフィルムを、接着するなどして貼る。
また、床材の上に薄いフィルムを圧着するなどして床材に密着させる。
【符号の説明】
【０００８】１  床材
２  フィルム
【図１】
2014047621.tif 000003